(57)【要約】  子どもを対面式で、または前を向けた状態で運搬できるよう、装着者の両肩領域のまわりを延びる配置にされた胸部帯部（1）と、その胸部帯部（1）に接続された腰部ベルト（2）と、その胸部帯部に取り付けられた運搬用バッグ（3）とを備えていて、その運搬用バッグは、脚用開口部を有する運搬用ポーチ（5）を備えており、その運搬用ポーチは、前面部材（4）の下部と少なくとも胸部部材（6）とによって形成され、その前面部材（4）は、少なくとも下部が腰部ベルト（2）に接続され、上縁領域（7）においては、接続装置（8）によってそれぞれの胸部帯部（1）に取外し可能に接続されている構成のベビー・キャリア。それぞれの胸部帯部（1）の第1の端部（1a）は、腰部ベルト（2）に、前面部材（4）がその腰部ベルトに接続されている領域で接続されていて、他方の端部（1b）は、その前面部材（4）と胸部部材（6）の間に配置された伸張手段（12）を通じてその前面部材（4）に接続されている。【選択図】図１
2012524602.tif 000002
【特許請求の範囲】
【請求項１】
子どもを対面式で、または前を向けた状態で運搬できるよう、装着者の両肩領域のまわりを延びる配置にされた胸部帯部（1）と、該胸部帯部（1）に接続された腰部ベルト（2）と、前記胸部帯部に取り付けられた運搬用バッグ（3）とを備えていて、該運搬用バッグは、脚用開口部を有する運搬用ポーチ（5）を備えており、該運搬用ポーチは、前面部材（4）の下部と少なくとも胸部部材（6）とによって形成され、前記前面部材（4）は、少なくとも下部が腰部ベルト（2）に接続され、上縁領域（7）においては、接続装置（8）によってそれぞれの前記胸部帯部（1）に取外し可能に接続されている構成のベビー・キャリアにおいて、それぞれの前記胸部帯部（1）の第1の端部（1a）が、前記腰部ベルト（2）に、前記前面部材（4）が前記腰部ベルトに接続されている領域で接続されていて、第2の端部（1b）が、前記前面部材（4）と前記胸部部材（6）の間に配置された伸張手段（12）を通じてその前面部材（4）に接続されているベビー・キャリア。
【請求項２】
前記伸張手段（12）が、前記前面部材（4）のそれぞれの側縁部（13）と、前記胸部部材（6）のそれぞれの側縁部の間に配置されている、請求項1に記載のベビー・キャリア。
【請求項３】
前記伸張手段（12）が、剛性のある帯（12）である、請求項1または請求項2に記載のベビー・キャリア。
【請求項４】
それぞれの前記胸部帯部（1）の第2の端部が、それぞれの帯（12）に、前記前面部材（4）の側縁部（13）と前記胸部部材（6）の側縁部の間のほぼ中間位置で接続されている、請求項1から請求項3のいずれか一つの請求項に記載のベビー・キャリア。
【請求項５】
前記前方部材（4）のうちで少なくとも子どもの方を向いた下部に、摩擦の小さい材料が設けられている、請求項1から請求項4のいずれか一つの請求項に記載のベビー・キャリア。
【発明の詳細な説明】
【技術分野】
【０００１】
本発明は、子どもを対面式で、または前を向けた状態で運搬できるよう、装着者の両肩領域のまわりを延びる配置にされた胸部帯部と、その胸部帯部に接続された腰部ベルトと、その胸部帯部に取り付けられた運搬用バッグとを備えていて、その運搬用バッグは、脚用開口部を有する運搬用ポーチを備えており、その運搬用ポーチは、前面部材の下部と少なくとも胸部部材とによって形成され、その前面部材は、少なくとも下部が腰部ベルトに接続され、上縁領域においては、接続装置によってそれぞれの胸部帯部に取外し可能に接続されている構成のベビー・キャリア（乳児運搬具）に関する。
【０００２】
したがって本発明は、胸部帯部を含む一般的なタイプのおぶい紐と、そのおぶい紐に取り付けられる運搬用ポーチとを含むタイプのベビー・キャリアに関する。なおその運搬ポーチは、脚用開口部が設けられた前面部材で形成されていて、装着者の胸側に設けることができる。
【背景技術】
【０００３】
上記のタイプのベビー・キャリアを使用するときの1つの問題は、重い子どもを長時間にわたって運搬するとき、ベビー・キャリアの装着者の両肩で重い負荷を担わねばならないことである。したがって多くの親は、自分の子どもが成長してより重くなると、子どもを運搬することを止めざるをえなくなるか、この方法で短時間しか子どもを運搬できない。
【０００４】
この問題を軽減する1つの方法は、両肩にかかる負荷を小さくするため、負荷の多くを引き受ける腰部ベルトをベビー・キャリアに設けることである。
【０００５】
腰部ベルトを有する上記のタイプの公知のベビー・キャリアに存在する別の問題は、子どもを持ち上げてベビー・キャリア（特に運搬用ポーチ）の中に入れたり外に出したりするのが容易でないことである。なぜなら運搬用ポーチは、ベビー・キャリアを装着者の胸側に配置するときには“つぶれる”傾向があるのに、狭い運搬用ポーチの環境／サイズがより広くなるように調節することはできないため、その中に子どもを持ち上げて入れるのは非常に難しい可能性があるからである。これは、約4ヶ月から約15kgになるまでの比較的重い子どもを運搬するのにベビー・キャリアを使用する場合に特に難しい。なぜなら通常は両手を使用して子どもを持ち上げてベビー・キャリアの中に入れたり外に出したりせねばならないからである。
【０００６】
さらに別の問題は、特に装着者が前に傾くとき、子どもが装着者の身体から比較的離れる傾向があること、すなわち子どもの重心が装着者から離れた位置に来ることである。すると装着者は簡単にバランスを失って前に転んでしまう。
【発明の概要】
【発明が解決しようとする課題】
【０００７】
したがって本発明の1つの目的は、上記の欠点のすべてまたは一部が解消されたベビー・キャリアを提供することである。すると子どもをより長い時間にわたって運搬することが可能になるとともに、装着者がベビー・キャリアを装着した状態で子どもを持ち上げてベビー・キャリアの中に入れたり外に出したりすることが容易にできる。それと同時に、子どもを装着者の身体の近くに保持することができる。
【課題を解決するための手段】
【０００８】
この目的は、本発明により、子どもを対面式で、または前を向けた状態で運搬できるよう、装着者の両肩領域のまわりを延びる配置にされた胸部帯部と、その胸部帯部に接続された腰部ベルトと、その胸部帯部に取り付けられた運搬用バッグとを備えていて、その運搬用バッグは、脚用開口部を有する運搬用ポーチを備えており、その運搬用ポーチは、前面部材の下部と少なくとも胸部部材とによって形成され、その前面部材は、少なくとも下部が腰部ベルトに接続され、上縁領域においては、接続装置によってそれぞれの胸部帯部に取外し可能に接続されている構成のベビー・キャリアにおいて、それぞれの胸部帯部の第1の端部が、腰部ベルトに、前面部材がその腰部ベルトに接続されている領域で接続されていて、それぞれの胸部帯部の第2の端部が、その前面部材と胸部部材の間に配置された伸張手段を通じてその前面部材に接続されているベビー・キャリアによって達成される。
【０００９】
本発明によるベビー・キャリアの別の実施形態は、従属請求項に記載されている。
【００１０】
これから本発明を、添付の図面を参照して一実施形態の形態でより詳しく説明するが、本発明がこの実施形態に限定されることはない。
【図面の簡単な説明】
【００１１】
【図１】広い座部支持体を有する本発明のベビー・キャリアが、概略を示した装着者の胸部に取り付けられた状態を示している。
【図２】本発明のベビー・キャリアが、前面部材の上部を下方に折り曲げた状態で、概略を示した装着者の胸部に取り付けられた状態を示している。
【図３】本発明のベビー・キャリアを上から見た図であり、胸部帯部と腰部ベルトの概略が示されている。
【図４】本発明のベビー・キャリアを横から見た図であり、図3と同様、胸部帯部と腰部ベルトの概略が示されている。
【発明を実施するための形態】
【００１２】
図1から図4は、本発明によるベビー・キャリアを示している。このベビー・キャリアは、装着者の両肩領域のまわりに延びる配置にされた調節可能な胸部帯部1と、調節可能な腰部ベルト2と、胸部帯部と腰部ベルトに取り付けられた運搬用バッグ3を備えている。運搬用バッグは、前面部材4と、脚用開口部が設けられた運搬用ポーチ5とを備えている。運搬用ポーチは、前面部材4の下部と胸部部材6によって形成されており、その下部は、ベビー・キャリアの装着者の胃の中心位置で横から見るとわかるように、腰部ベルト2に取り付けられている。前面部材4は、上縁領域7において、取外し可能な接続装置8によってそれぞれの胸部帯部1に取外し可能に接続される。そのため上縁領域7は、子どもがベビー・キャリアの中に座っているとき、または子どもをベビー・キャリアの中に入れるとき、下方に折り曲げることができる。それぞれの胸部帯部1の第1の端部1aは腰部ベルト2に取り付けられるのに対し、それぞれの胸部帯部1の第2の端部1bは、このベビー・キャリアが装着された状態を見るとわかるように、鉛直方向を向いた状態の前面部材4の縁部13に、前面部材の高さの中心よりもいくらか下の位置で取り付けられることが好ましい。より詳細には、第2の端部1bは、前面部材の側縁部と胸部部材6のそれぞれの側縁部の間に配置された弾性のある伸張手段を通じて前面部材の側縁部に取り付けられる。より詳細には、胸部帯部1のそれぞれの第1の端部1aの少なくとも一部が胸部部材6とともに前面部材の下部から伸張するようにされているため、伸張した運搬用ポーチ5が実現される。
【００１３】
好ましい一実施形態では、伸張手段は、比較的剛性と弾性のある帯12を備えているため、その比較的大きな剛性／弾性のおかげで伸張することになる。より詳細には、帯12は、適切な詰め物を装填されたポケット、または他の何らかの適切な方法で製造されたポケットとして形成されるため、適度な剛性／弾性を有する。運搬用ポーチ5はこのように伸張するため、子ども（特に両手で持ち上げて運搬用ポーチ5の中に入れねばならないより重い子ども）をベビー・キャリアの中に入れるのがより容易になる。
【００１４】
図1からわかるように、例えば1個または数個の開口部が設けられたループ10の形態をした結合装置10、11が、好ましくは胸部帯部1の第1の端部1aの下部と、胸部帯部1の第2の端部1bまたは帯12との間の位置で、ベビー・キャリアのそれぞれの側に設けられたボタン11に取外し可能に接続できるようにされている。ループ10をボタン11に引っ掛けることにより、座部支持体9の側縁部と、胸部帯部1の第1の端部1aおよび第2の端部1bまたは胸部部材6との間に形成される脚用開口部のサイズを決めることで、意に反して子どもがベビー・キャリアから滑り落ちることが阻止される。
【００１５】
さらに、ベビー・キャリアで子ども（図示せず）を運搬するため、前方部材4の少なくとも下部が腰部ベルト2に取り付けられて座部支持体9を形成する。前方部材4の上縁領域7は、子どもにとって頭の優れた支持体となるようにできる。上縁領域7の横方向に離れたそれぞれの側縁部には、調節装置30が配置されている。例えば子どもが眠っているときに子どもの頭を最もよく支持できるようにするため、この調節装置30により、上縁領域7の有効な距離を選択的に設定することが可能になる。
【００１６】
図1と図3からわかるように、運搬用ポーチ5は、座部支持体9と、胸部帯部1のそれぞれの第1の端部1aと、帯12と、胸部部材6とによって形成され、座部支持体9の下縁部と第1の端部1aは、装着者がベビー・キャリアを装着した状態からわかるように、腰部ベルト2の上縁部に取り付けられている。図示したこの実施形態では、胸部部材6は、胸部帯部1のそれぞれの第1の端部1aの間に、より詳細には胸部帯部1のそれぞれの第1の端部1aの向かい合った側縁部の間に配置されている。図示していない別の一実施形態では、下に説明するように、胸部帯部1の第1の端部1aは、胸部部材6に、その上縁部の位置で接続できることが好ましい。
【００１７】
図4からわかるように、それぞれの胸部帯部1の第2の端部1bは、それぞれの帯12に、前面部材4の側縁部13と第1の端部のそれぞれの側縁部の間のほぼ中間位置で、好ましくは前面部材4の側縁部13に幾分かより近くして取り付けられることが好ましい。以下の説明では、胸部部材6の側縁部は、第1の端部1aそれぞれの側縁部の外縁部と等しい。なぜなら胸部部材6は、その胸部部材と同じ面積を持っていて胸部帯部の第1の端部に接続された1つの部材で形成できるため、胸部帯部1は胸部部材とつながっているからである。図示した実施形態では、胸部部材6は、それぞれの胸部帯部1の第1の端部1aと中間部材によって形成されていて、その中間部材が胸部部材に取り付けられる。中間部材は、織った生地または他の適切な材料で製造することができ、網状である。
【００１８】
接続装置8を外すことによって前面部材4の上縁領域7をそれぞれの胸部帯部1から離すと、子どもをベビー・キャリアの運搬用ポーチ5の中に入れることができるようになり、その後、胸部帯部1を締め付ける。すると、帯12の長さが短くなるため、運搬用ポーチのサイズは小さくなる。このようにして子どもの重心が装着者により近づく。望むのであれば、その後、上縁領域7にある接続装置8を胸部帯部に接続することができる。明らかに、最初に上縁領域7にある接続装置8を胸部帯部に接続し、次いでその胸部帯部を締め付けることもできる。
【００１９】
図示していない一実施形態では、前方部材4のうちで少なくとも子どもの近くに位置する下部14に摩擦が小さい材料を設けることで、子どもをベビー・キャリアの運搬用ポーチ5の中に入れたり外に出したりすることがより容易にできる。
【図１】
2012524602.tif 000003
【図２】
2012524602.tif 000004
【図３】
2012524602.tif 000005
【図４】
2012524602.tif 000006
【国際調査報告】
2012524602.tif 000007
2012524602.tif 000008
2012524602.tif 000009